(57)【要約】【課題】複数の周波数に対応する複数の電波を受信することができるアンテナ装置を実現する。【解決手段】コア１１０に巻きつけられたコイル１２０を有する主アンテナ１００が設けられた腕時計１が所定の状態で設置される載置台３００と、コア２１０ａ、２１０ｂにそれぞれ巻きつけられたコイル２２０ａ、２２０ｂを夫々有する副アンテナ２００ａ、２００ｂと、を備えるアンテナ装置１０００において、副アンテナ２００ａ、２００ｂは、それぞれ異なる周波数（例えば、４０ｋＨｚ、６０ｋＨｚ）に同調し、且つ、載置台３００に腕時計１が所定の状態で設置された際に、副アンテナ２００ａ、２００ｂのコア２１０ａ、２１０ｂの軸線方向と、主アンテナ１００のコア１１０の軸線方向とが、平行若しくは一致するように配置される構成にした。【選択図】図１
2006101454.tif 000002
【特許請求の範囲】
【請求項１】
コアと、このコアに巻きつけられたコイルとを有する主アンテナが設けられた電子機器が所定の状態で設置される設置部と、
コアと、このコアに巻きつけられたコイルとを夫々有する複数の副アンテナと、を備え、
前記複数の副アンテナは、それぞれ異なる周波数に同調し、且つ、前記設置部に前記電子機器が所定の状態で設置された際に、前記複数の副アンテナのコアの軸線方向と、前記主アンテナのコアの軸線方向とが、平行若しくは一致するように配置されていることを特徴とするアンテナ装置。
【請求項２】
前記複数の副アンテナは、前記設置部に前記電子機器が所定の状態で設置された際に、前記副アンテナのコアの軸線方向と前記主アンテナのコアの軸線方向とが平行となるように配置された第１の副アンテナと、前記副アンテナのコアの軸線方向と前記主アンテナのコアの軸線方向とが一致するように配置された第２の副アンテナとから構成されていることを特徴とする請求項１に記載のアンテナ装置。
【請求項３】
前記複数の副アンテナは、前記設置部に前記電子機器が所定の状態で設置された際に、前記副アンテナのコアの軸線方向と前記主アンテナのコアの軸線方向とが一致するとともに、前記主アンテナを挟むように配置されている一対の副アンテナから構成されていることを特徴とする請求項１に記載のアンテナ装置。
【請求項４】
コアと、このコアに巻きつけられたコイルとを有する主アンテナが設けられた電子機器が所定の状態で設置される設置部と、
コアと、このコアに巻きつけられた複数のコイルとを有する副アンテナと、を備え、
前記複数のコイルは、それぞれ異なる周波数に同調し、且つ、前記副アンテナは、前記設置部に前記電子機器が所定の状態で設置された際に、前記副アンテナのコアの軸線方向と、前記主アンテナのコアの軸線方向とが、平行若しくは一致するように配置されていることを特徴とするアンテナ装置。
【請求項５】
コアと、このコアに巻きつけられたコイルとを有する主アンテナが設けられた電子機器が所定の状態で設置される設置部と、
コアと、このコアに巻きつけられたコイルとを有する副アンテナと、この副アンテナを複数の異なる周波数に同調させるために、前記副アンテナに選択的に接続されるコンデンサと、を備え、
前記副アンテナは、前記設置部に前記電子機器が所定の状態で設置された際に、前記副アンテナのコアの軸線方向と、前記主アンテナのコアの軸線方向とが、平行若しくは一致するように配置されていることを特徴とするアンテナ装置。
【請求項６】
前記副アンテナは、電界ノイズを遮断するシールド部材により覆われていることを特徴とする請求項１〜５のいずれか一項に記載のアンテナ装置。
【発明の詳細な説明】
【技術分野】
【０００１】
本発明は、アンテナ装置に関する。
【背景技術】
【０００２】
現在、各国（例えばドイツ、イギリス、スイス、日本等）において、時刻データ即ちタイムコード入りの長波標準電波が送出されている。我が国（日本）では、２つの送信所（福島県及び佐賀県）より、４０ｋＨｚ及び６０ｋＨｚの長波標準電波が送出されている。
【０００３】
近年では、そのような標準電波を受信して現在時刻データを修正する、いわゆる電波時計が実用化されている。電波時計は、所定時間毎に、内蔵しているアンテナを介して標準電波を受信し、その標準電波を増幅変調してタイムコードを解読することにより現在時刻を修正している。
このような電波時計が、寸法上の大型化或いは重量の増加を招くことなく確実に時刻修正を行うために、電波時計の外部に配設する補助アンテナ装置が知られている（例えば、特許文献１参照。）。
電波時計の外部に配設された補助アンテナ装置は、電波時計の内蔵アンテナと磁気的に結合することにより、標準電波の受信感度を向上させるようになっている。
【特許文献１】特許第３５０６６２５号公報
【発明の開示】
【発明が解決しようとする課題】
【０００４】
しかしながら、上記特許文献１の場合、補助アンテナ装置は１つの周波数に対応する電波しか受信することができないので、例えば、４０ｋＨｚと６０ｋＨｚの標準電波のうち、一方の標準電波を受信することはできるが、他方の標準電波は受信できないという問題があった。
【０００５】
本発明の課題は、複数の周波数に対応する複数の電波を感度よく受信することができるアンテナ装置を提供することである。
【課題を解決するための手段】
【０００６】
本発明は、上記の課題を解決するため、以下のような構成要素を備えている。なお、以下に示す構成要素には、括弧書きにより実施形態に対応する構成及び図面参照符号を記す。
請求項１記載の発明は、アンテナ装置（例えば、図１〜３、図６、図８のアンテナ装置１０００、１００１、１００２）において、
コア（例えば、図１〜３、図５〜９のコア１１０）と、このコアに巻きつけられたコイル（例えば、図１〜３、図５〜９のコイル１２０）とを有する主アンテナ（例えば、図１〜３、図５〜９の主アンテナ１００）が設けられた電子機器（例えば、図１〜４、図６、図８の腕時計１）が所定の状態で設置される設置部（例えば、図１〜３、図６、図８の載置台３００、３０１、３０２）と、
コア（例えば、図１〜３、図５〜９のコア２１０ａ、２１０ｂ）と、このコアに巻きつけられたコイル（例えば、図１〜３、図５〜９のコイル２２０ａ、２２０ｂ）とを夫々有する複数の副アンテナ（例えば、図１〜３、図５〜９の副アンテナ２００ａ、２００ｂ）と、を備え、
前記複数の副アンテナは、それぞれ異なる周波数（例えば、４０ｋＨｚ、６０ｋＨｚ）に同調し、且つ、前記設置部に前記電子機器が所定の状態で設置された際に、前記複数の副アンテナのコアの軸線方向と、前記主アンテナのコアの軸線方向とが、平行若しくは一致するように配置されていることを特徴とする。
【０００７】
請求項２記載の発明は、請求項１に記載のアンテナ装置（例えば、図６のアンテナ装置１００１）において、
前記複数の副アンテナは、前記設置部（例えば、図６の載置台３０１）に前記電子機器（例えば、図６の腕時計１）が所定の状態で設置された際に、前記副アンテナのコアの軸線方向と前記主アンテナのコアの軸線方向とが平行となるように配置された第１の副アンテナ（例えば、図６、図７の副アンテナ２００ａ）と、前記副アンテナのコアの軸線方向と前記主アンテナのコアの軸線方向とが一致するように配置された第２の副アンテナ（例えば、図６、図７の副アンテナ２００ｂ）とから構成されていることを特徴とする。
【０００８】
請求項３記載の発明は、請求項１に記載のアンテナ装置（例えば、図８のアンテナ装置１００２）において、
前記複数の副アンテナは、前記設置部（例えば、図８の載置台３０２）に前記電子機器（例えば、図８の腕時計１）が所定の状態で設置された際に、前記副アンテナのコアの軸線方向と前記主アンテナのコアの軸線方向とが一致するとともに、前記主アンテナ（例えば、図８、図９の主アンテナ１００）を挟むように配置されている一対の副アンテナ（例えば、図８、図９の副アンテナ２００ａ、２００ｂ）から構成されていることを特徴とする。
【０００９】
請求項４記載の発明は、アンテナ装置（例えば、図１０、図１２のアンテナ装置１００３、１００４）において、
コア（例えば、図１０〜１３のコア１１０）と、このコアに巻きつけられたコイル（例えば、図１０〜１３のコイル１２０）とを有する主アンテナ（例えば、図１０〜１３の主アンテナ１００）が設けられた電子機器（例えば、図１０、図１２の腕時計１）が所定の状態で設置される設置部（例えば、図１０、図１２の載置台３０３、３０４）と、
コア（例えば、図１０〜１３のコア４１０）と、このコアに巻きつけられた複数のコイル（例えば、図１０〜１３のコイル４２０ａ、４２０ｂ）とを有する副アンテナ（例えば、図１０〜１３の副アンテナ４００）と、を備え、
前記複数のコイルは、それぞれ異なる周波数（例えば、４０ｋＨｚ、６０ｋＨｚ）に同調し、且つ、前記副アンテナは、前記設置部に前記電子機器が所定の状態で設置された際に、前記副アンテナのコアの軸線方向と、前記主アンテナのコアの軸線方向とが、平行若しくは一致するように配置されていることを特徴とする。
【００１０】
請求項５記載の発明は、アンテナ装置（例えば、図１４のアンテナ装置１００５）において、
コア（例えば、図１４のコア１１０）と、このコアに巻きつけられたコイル（例えば、図１４のコイル１２０）とを有する主アンテナ（例えば、図１４の主アンテナ１００）が設けられた電子機器（例えば、図１４の腕時計１）が所定の状態で設置される設置部（例えば、図１４の載置台３０５）と、
コア（例えば、図１４のコア５１０）と、このコアに巻きつけられたコイル（例えば、図１４のコイル５２０）とを有する副アンテナ（例えば、図１４の副アンテナ５００）と、この副アンテナを複数の異なる周波数に同調させるために、前記副アンテナに選択的（例えば、図１５のフローチャート）に接続されるコンデンサ（例えば、図１４の同調コンデンサＣａ、Ｃｂ）と、を備え、
前記副アンテナは、前記設置部に前記電子機器が所定の状態で設置された際に、前記副アンテナのコアの軸線方向と、前記主アンテナのコアの軸線方向とが、平行若しくは一致するように配置されていることを特徴とする。
【００１１】
請求項６記載の発明は、請求項１〜５のいずれか一項に記載のアンテナ装置において、
前記副アンテナ（例えば、図１６の副アンテナ６００）は、電界ノイズを遮断するシールド部材（例えば、図１６のシールド部材７００）により覆われていることを特徴とする。
【発明の効果】
【００１２】
請求項１記載の発明によれば、主アンテナが設けられた電子機器を、設置部に所定の状態で設置することにより、それぞれ異なる周波数に同調することができる複数の副アンテナが電子機器の主アンテナに位置合わせされる。そして、電子機器の主アンテナに位置合わせされた複数の副アンテナのコアの軸線方向と、主アンテナのコアの軸線方向とが、平行若しくは一致するようになっているので、主アンテナと副アンテナとは磁気的に結合することができるようになっている。
【００１３】
そして、主アンテナのみでも電波の受信は可能であるが、副アンテナが主アンテナと磁気的に結合する配置にあれば、副アンテナは主アンテナの電波の受信感度を向上させることができる。
つまり、副アンテナを標準電波などの信号磁界中に置くと、信号磁束が副アンテナのコアに集中して副アンテナのコイルと鎖交し、コイルには、コイル内部を通過する信号磁束の変化を妨げる向きに発生磁束が発生する。そして、副アンテナのコイルに生じた発生磁束が、磁気的に結合している主アンテナのコイルに生じる誘導起電力をより増大させることにより、主アンテナが単独で電波を受信する場合に比べて、受信感度が向上する。
【００１４】
そして、アンテナ装置は複数の副アンテナを備えているので、アンテナ装置はそれぞれの副アンテナに応じて異なる周波数の電波に同調することができ、異なる周波数を有する複数の電波を受信することができる。
よって、アンテナ装置は、複数の周波数に対応する複数の電波を感度よく受信することができ、主アンテナが設けられた電子機器における複数の電波の受信感度を向上させることができる。
【００１５】
また、単独でも電波を受信することができる主アンテナを備える電子機器は電波受信機能を有するとともに、副アンテナを備える設置部に設置されることによって、主アンテナと副アンテナとを磁気的に結合させて、電波の受信感度を向上させることができる。
従って、このようなアンテナ装置であれば、より小型の電子機器には、より小型の主アンテナを備えることにより、電波受信機能を有する電子機器の小型化を図ることができる。
【００１６】
請求項２記載の発明によれば、請求項１に記載の発明と同様の効果が得られることは無論のこと、アンテナ装置の副アンテナは、副アンテナのコアの軸線方向と主アンテナのコアの軸線方向とが平行となるように配置された第１の副アンテナと、副アンテナのコアの軸線方向と主アンテナのコアの軸線方向とが一致するように配置された第２の副アンテナとから構成されているので、副アンテナの配置に自由度が増すと共に、副アンテナのコイルに発生する様々な発生磁束に応じて、副アンテナは主アンテナのコイルに生じる誘導起電力をより増大させることができる。そして、主アンテナが単独で電波を受信する場合に比べて、受信感度が向上する。
【００１７】
請求項３記載の発明によれば、請求項１に記載の発明と同様の効果が得られることは無論のこと、アンテナ装置の副アンテナは、副アンテナのコアの軸線方向と主アンテナのコアの軸線方向とが一致するとともに、主アンテナを挟むように配置されている一対の副アンテナから構成されているので、副アンテナの配置に自由度が増すと共に、副アンテナのコイルに発生する様々な発生磁束に応じて、副アンテナは主アンテナのコイルに生じる誘導起電力をより増大させることができる。そして、主アンテナが単独で電波を受信する場合に比べて、受信感度が向上する。
【００１８】
請求項４記載の発明によれば、主アンテナが設けられた電子機器を、設置部に所定の状態で設置することにより、それぞれ異なる周波数に同調することができる複数のコイルを有する副アンテナが電子機器の主アンテナに位置合わせされる。そして、電子機器の主アンテナに位置合わせされた副アンテナのコアの軸線方向と、主アンテナのコアの軸線方向とが、平行若しくは一致するようになっているので、主アンテナと副アンテナとは磁気的に結合することができるようになっている。
【００１９】
そして、主アンテナのみでも電波の受信は可能であるが、副アンテナが主アンテナと磁気的に結合する配置にあれば、副アンテナは主アンテナの電波の受信感度を向上させることができる。
つまり、副アンテナを標準電波などの信号磁界中に置くと、信号磁束が副アンテナのコアに集中して副アンテナのコイルと鎖交し、コイルには、コイル内部を通過する信号磁束の変化を妨げる向きに発生磁束が発生する。そして、副アンテナのコイルに生じた発生磁束が、磁気的に結合している主アンテナのコイルに生じる誘導起電力をより増大させることにより、主アンテナが単独で電波を受信する場合に比べて、受信感度が向上する。
【００２０】
そして、アンテナ装置は複数のコイルを有する副アンテナを備えているので、アンテナ装置はそれぞれのコイルに応じて異なる周波数の電波に同調することができ、異なる周波数を有する複数の電波を受信することができる。
よって、アンテナ装置は、複数の周波数に対応する複数の電波を感度よく受信することができ、主アンテナが設けられた電子機器における複数の電波の受信感度を向上させることができる。
【００２１】
また、単独でも電波を受信することができる主アンテナを備える電子機器は電波受信機能を有するとともに、副アンテナを備える設置部に設置されることによって、主アンテナと副アンテナとを磁気的に結合させて、電波の受信感度を向上させることができる。
従って、このようなアンテナ装置であれば、より小型の電子機器には、より小型の主アンテナを備えることにより、電波受信機能を有する電子機器の小型化を図ることができる。
【００２２】
請求項５記載の発明によれば、主アンテナが設けられた電子機器を、設置部に所定の状態で設置することにより、副アンテナに接続させるコンデンサを選択的に切り替えることによって、複数の異なる周波数に同調させることができる副アンテナが電子機器の主アンテナに位置合わせされる。そして、電子機器の主アンテナに位置合わせされた複数の副アンテナのコアの軸線方向と、主アンテナのコアの軸線方向とが、平行若しくは一致するようになっているので、主アンテナと副アンテナとは磁気的に結合することができるようになっている。
【００２３】
そして、主アンテナのみでも電波の受信は可能であるが、副アンテナが主アンテナと磁気的に結合する配置にあれば、副アンテナは主アンテナの電波の受信感度を向上させることができる。
つまり、副アンテナを標準電波などの信号磁界中に置くと、信号磁束が副アンテナのコアに集中して副アンテナのコイルと鎖交し、コイルには、コイル内部を通過する信号磁束の変化を妨げる向きに発生磁束が発生する。そして、副アンテナのコイルに生じた発生磁束が、磁気的に結合している主アンテナのコイルに生じる誘導起電力をより増大させることにより、主アンテナが単独で電波を受信する場合に比べて、受信感度が向上する。
【００２４】
そして、アンテナ装置は、副アンテナに接続させるコンデンサを選択的に切り替えることにより、複数の異なる周波数に同調させることができる副アンテナを備えているので、アンテナ装置は選択的に接続されたコンデンサに応じて異なる周波数の電波に同調することができ、異なる周波数を有する複数の電波を受信することができる。
よって、アンテナ装置は、複数の周波数に対応する複数の電波を感度よく受信することができ、主アンテナが設けられた電子機器における複数の電波の受信感度を向上させることができる。
【００２５】
また、単独でも電波を受信することができる主アンテナを備える電子機器は電波受信機能を有するとともに、副アンテナを備える設置部に設置されることによって、主アンテナと副アンテナとを磁気的に結合させて、電波の受信感度を向上させることができる。
従って、このようなアンテナ装置であれば、より小型の電子機器には、より小型の主アンテナを備えることにより、電波受信機能を有する電子機器の小型化を図ることができる。
【００２６】
請求項６記載の発明によれば、請求項１〜５のいずれか一項に記載の発明と同様の効果が得られることは無論のこと、副アンテナは、電界ノイズを遮断するシールド部材により覆われているので、副アンテナに静電気などのノイズが入り込んでも、ノイズは副アンテナのコアやコイルに作用し難い。
よって、ノイズの影響を低減することにより、標準電波に基づく時刻修正を正確に行うことができるとともに、主アンテナや主アンテナと接続されている回路基板のＩＣなどがそのノイズにより破壊されることを防ぐことができる。
【発明を実施するための最良の形態】
【００２７】
以下、図面を参照して、本発明に係るアンテナ装置の最良の実施形態について詳細に説明する。
なお、本実施形態においては、電子機器として腕時計を例に挙げて説明する。また、説明の簡明のため、各図面においては、コイルの径を太くし、巻回数を少なく図示している。
【００２８】
（実施形態１）
図１は、腕時計１が設置部である載置台３００に所定の状態で設置されている状態を示す斜視図である。
図１に示すように、腕時計１は、主アンテナ１００を内蔵し、標準電波を受信して現在時刻データを修正する電波時計である。
また、アンテナ装置１０００は、載置台３００と副アンテナ２００ａ、２００ｂを備えている。
この腕時計１をアンテナ装置１０００の載置台３００に載置して係着させた際に、主アンテナ１００と副アンテナ２００ａ、２００ｂとが位置合わせされることにより、標準電波の受信感度が向上するようになっている。
【００２９】
〔腕時計及びアンテナの構成〕
図２は、載置台３００に係着される腕時計１の拡大正面図であり、図３は、図２のIII−III線における要部の拡大断面図である。図４は、腕時計１の内部構成を示すブロック図である。
【００３０】
図１から図３に示すように、腕時計１には主アンテナ１００が内蔵されており、載置台３００には副アンテナ２００ａ、２００ｂが内蔵されている。
載置台３００は、腕時計１を使用しない際に載置して保管するための台であり、載置台３００には、腕時計１の外形に沿った載置溝３００ａが形成されている。
そして、腕時計１を、その載置溝３００ａに合わせて載置して設置することにより、腕時計１が載置台３００に係着するとともに、主アンテナ１００と副アンテナ２００ａ、２００ｂとが位置合わせされて、主アンテナ１００と副アンテナ２００ａ、２００ｂとが、磁気的に結合するようになっている。
この実施形態においては、図１から図３に示すように、載置台３００に載置された腕時計１に内蔵される主アンテナ１００に対し、副アンテナ２００ａ、２００ｂがそれぞれ平行に配置されるように、副アンテナ２００ａ、２００ｂは載置台３００に備えられている。特に、この副アンテナ２００ａ、２００ｂは、主アンテナ１００のコア１１０の軸線方向と、副アンテナ２００ａ、２００ｂのコア２１０ａ、２１０ｂの軸線方向とが平行となるように載置台３００に配設されている。
【００３１】
〔腕時計〕
腕時計１は、図１から図４に示すように、時計計時部４を内部に収納する樹脂成形された時計ケース２を備え、時計ケース２には、これをユーザの手首に装着するためのバンド部材８が取り付けられている。
【００３２】
時計ケース２の上面中央には、文字板５を視認可能なように時計ガラス２ａがパッキン２ｂを介して嵌められ、時計ケース２の周囲には、腕時計１の各種機能の実行を指示するためのスイッチ３が設けられている。また、時計ケース２の上部外周には外装部材としてのベゼル２ｆが設けられ、時計ケース２の底面には、金属成形された裏蓋２ｃが防水リング２ｄを介して取り付けられている。
【００３３】
時計計時部４は、上部ハウジング部４ａや下部ハウジング部４ｂ、時針や分針等の指針７ｂを文字板５上で運針させるアナログ指針機構７、標準電波を受信する主アンテナ１００、アナログ指針機構７や主アンテナ１００を接続してこれらを制御する回路基板６を備えている。また、時計計時部４と裏蓋２ｃの間には、緩衝部材２ｅが備えられている。
上部ハウジング部４ａ、下部ハウジング部４ｂ、文字板５は、それぞれの周縁部が時計ケース２の内側周面に設けられている中枠２ｇに取り付けられた構造となっている。そして、下部ハウジング部４ｂと上部ハウジング部４ａとの間に回路基板６が配置されている。また、上部ハウジング部４ａの上面に文字板５が配置され、この文字板５の上面周縁部には、枠状部材５ｂが、時計ガラス２ａの下面周縁部に当接した状態で配置されている。
【００３４】
アナログ指針機構７は、文字板５に形成された軸孔５ａからその上方に延びる指針軸７ａと、指針軸７ａに取り付けられた時針、分針等の指針７ｂとを有し、指針７ｂを文字板５の上方で運針させる。アナログ指針機構７（腕時計１）を動作させるための電池（図示省略）は、例えば下部ハウジング部４ｂに組み込まれている。
【００３５】
主アンテナ１００は、図３に示されるように、回路基板６と文字板５との間のアンテナ収容部１００ａにおいて、主アンテナ１００（コア１１０）の長手方向の軸線が裏蓋２ｃ（或いは文字板５）と平行になるよう、上部ハウジング部４ａに支持されて配置されている。
また、主アンテナ１００のコイル１２０の端部１２０ａは、回路基板６に接続されている。そして、主アンテナ１００のコイル１２０に生じる誘導起電力を検出する受信回路（図示省略）は、回路基板６上に実装されている。
【００３６】
また、腕時計１は、図４に示すように、ＣＰＵ１０と、入力部２０と、表示部３０と、ＲＯＭ４０と、ＲＡＭ５０と、受信制御部６０と、タイムコード変換部７０と、計時回路部８０と、発振回路部８２と、検出部９０と、を備えて構成されている。また、発振回路部８２を除く各部はバスＢによって接続され、発振回路部８２は計時回路部８０に接続されている。
【００３７】
ＣＰＵ１０は、所定のタイミング或いは入力部２０から入力された操作信号に応じてＲＯＭ４０に格納されたプログラムを読み出してＲＡＭ５０に展開し、該プログラムに基づいて腕時計１を構成する各部への指示やデータの転送等を行う。具体的には、例えば所定時間毎に受信制御部６０を制御して標準電波の受信処理を実行し、タイムコード変換部７０から入力された標準タイムコードに基づいて計時回路部８０で計数される現在時刻データを修正する。
また、ＣＰＵ１０は、標準電波の受信処理を実行した際、標準電波を受信できたか否かを判断する制御を行う。
【００３８】
入力部２０は、腕時計１の各種機能の実行を指示するためのスイッチ３等であり、これらのスイッチ３が操作されると、対応する操作信号をＣＰＵ１０に出力する。
表示部３０は、文字板５やＣＰＵ１０によって制御されるアナログ指針機構７を含み、計時回路部８０によって計時された現在時刻を表示する。
また、表示部３０は、液晶表示機構や、ＬＥＤ点灯機構を備えてもよく、それらに標準電波の受信状態（例えば、受信良好表示や受信不能表示）を表示するようになっている。
【００３９】
ＲＯＭ４０は、腕時計１にかかるシステムプログラムやアプリケーションプログラム、本実施の形態を実現するためのプログラムやデータ等を記憶する。
例えば、ＲＯＭ４０には、所定時間毎に標準電波の受信処理を実行するための受信プログラム４０ａが記憶されている。
また、ＲＯＭ４０には、標準電波の受信に伴い、現在時刻データを修正するための時刻修正プログラム４０ｂが記憶されている。
【００４０】
ＲＡＭ５０は、ＣＰＵ１０の作業領域として用いられ、ＲＯＭ４０から読み出されたプログラムやＣＰＵ１０で処理されたデータ等を一時的に記憶する。
例えば、ＲＡＭ５０には、ＣＰＵ１０の作業領域として用いたり、プログラムやデータ等を一時的に記憶したりするためのデータ格納領域５０ａが形成されている。
【００４１】
受信制御部６０は、電波受信装置６２を備える。電波受信装置６２は主アンテナ１００を有しており、主アンテナ１００で受信した標準電波の不要な周波数成分をカットして該当する周波数信号を取り出し、この周波数信号を対応した電気信号に変換した信号をタイムコード変換部７０へ出力する。
【００４２】
タイムコード変換部７０は、電波受信装置６２から入力された電気信号をデジタル信号に変換し、標準時刻コードや積算コード、曜日コード等の時計機能に必要なデータを含む標準タイムコードを生成してＣＰＵ１０に出力する。
【００４３】
計時回路部８０は、発振回路部８２から入力される信号を計数して現在時刻を計時し、計時した現在時刻データをＣＰＵ１０に出力する。発振回路部８２は、常時一定周波数のクロック信号を出力する回路である。
【００４４】
検出部９０は、腕時計１が載置台３００に載置され、腕時計１と載置台３００とが係着しているか否かを検出し、検出した検出信号をＣＰＵ１０に出力する。
検出部９０は、例えば、接触センサであり、腕時計１を、載置台３００の載置溝３００ａに合わせて載置した際に、載置台３００に設けられている突起部（図示省略）が腕時計１のセンサ穴（図示省略）に係合し、そのセンサ穴内の接触センサ（図示省略）を押下することにより、腕時計１と載置台３００とが係着しているという検出信号を出力する。なお、この接触センサが押下されず、検出信号が出力されていない状態は、腕時計１が載置台３００に載置されていない状態として処理する。
【００４５】
〔アンテナの構成〕
図５は、アンテナ装置１０００の載置台３００に腕時計１が載置された際のアンテナの状態を示す説明図であり、本実施の形態の主アンテナ１００と副アンテナ２００ａ、２００ｂの配置を示す正面図である。なお、同図において、主アンテナ１００のコイル１１０と受信回路とを接続する導線の図示は省略している。
【００４６】
図５に示すように、主アンテナ１００は、コア１１０と、このコア１１０の中央部分に銅線等を巻きつけて形成したコイル１２０と、により構成されており、腕時計１の内部に設けられている。
【００４７】
コア１１０は、略円柱形状の棒状体であり、その中央部分は両端側より径が細く形成された凹部を有し、その凹部に銅線等がコア１１０の両端側の表面とほぼ同じ高さになるように、ほぼ均等な厚みで巻き付けられて、コイル１２０が形成されている。
コア１１０は、電波の受信感度が高い材料、例えばフェライト等、比透磁率が高く且つ電気抵抗が大きい磁性材料により形成される。具体的には、コア１１０は、約1000〜100000程度の比透磁率を有する磁性材料を用いて形成される。このため、コア１１０内部の磁気抵抗は、主アンテナ１００の周辺空間のそれの約1/1000〜1/100000程度と、極めて小さくなっている。
【００４８】
図５に示すように、副アンテナ２００ａ、２００ｂはそれぞれ、コア２１０ａ、２１０ｂと、そのコア２１０ａ、２１０ｂの中央部分に銅線等を巻きつけて形成したコイル２２０ａ、２２０ｂと、コイル２２０ａ、２２０ｂにそれぞれ接続された同調コンデンサＣａ、Ｃｂと、により構成されており、載置台３００の内部に設けられている。
この副アンテナ２００ａ、２００ｂは、主アンテナ１００のコア１１０の軸線方向と、副アンテナ２００ａ、２００ｂのコア２１０ａ、２１０ｂの軸線方向とが平行となるように載置台３００に配設されている。
【００４９】
副アンテナ２００ａ、２００ｂのコア２１０ａ、２１０ｂは、略円柱形状の棒状体であり、その中央部分は両端側より径が細く形成された凹部を有し、その凹部に銅線等がコア２１０ａ、２１０ｂの両端側の表面とほぼ同じ高さになるように、ほぼ均等な厚みで巻き付けられて、それぞれコイル２２０ａ、２２０ｂが形成されている。なお、副アンテナ２００ａ、２００ｂのコア２１０ａ、２１０ｂの軸線方向の長さは、主アンテナ１００のコア１１０の軸線方向の長さよりも長く、また、コア２１０ａ、２１０ｂの径は、コア１１０の径よりも太い径を有することが、電波の受信感度を向上させる上で好ましい。
また、副アンテナ２００ａ、２００ｂのコア２１０ａ、２１０ｂは、電波の受信感度が高い材料、例えばフェライト等の磁性材料により形成されており、特に、主アンテナ１００のコア１１０と同じ磁性材料であることが好ましい。
【００５０】
同調コンデンサＣａ、Ｃｂは、副アンテナ２００ａ、２００ｂをそれぞれ異なる周波数の電波に同調させるためのコンデンサであり、例えば、副アンテナ２００ａは４０ｋＨｚの標準電波、副アンテナ２００ｂは６０ｋＨｚの標準電波に同調するようになっている。
そして、副アンテナ２００ａは４０ｋＨｚの標準電波を受信することができ、副アンテナ２００ｂは６０ｋＨｚの標準電波を受信することができるようになっている。
【００５１】
そして、図５に示すように、主アンテナ１００のコア１１０と、副アンテナ２００のコア２１０ａ、２１０ｂとが、平行に配置されることにより、主アンテナ１００（コア１１０）と副アンテナ２００（コア２１０ａ、２１０ｂ）とは、磁気的に結合した状態となる。
【００５２】
この主アンテナ１００を標準電波による信号磁界中に置くと、信号磁束がコア１１０に集中してコイル１２０と鎖交し、コイル１２０には、コイル１２０内部を通過する信号磁束の変化を妨げる向きに発生磁束が発生する。主アンテナ１００は、この発生磁束に基づきコイル１２０に生じる誘導起電力を検出することにより、標準電波を受信するようになっている。
【００５３】
この誘導起電力の検出は、主アンテナ１００のみでも可能であるが、副アンテナ２００ａ、２００ｂが主アンテナ１００と磁気的に結合する配置にあれば、標準電波の受信感度を向上させることができる。
つまり、副アンテナ２００ａ（副アンテナ２００ｂ）を標準電波による信号磁界中に置くと、信号磁束がコア２１０ａ（コア２１０ｂ）に集中してコイル２２０ａ（コイル２２０ｂ）と鎖交し、コイル２２０ａ（２２０ｂ）には、コイル２２０ａ（２２０ｂ）内部を通過する信号磁束の変化を妨げる向きに発生磁束が発生する。そして、副アンテナ２００ａ（２００ｂ）のコイル２２０ａ（２２０ｂ）に生じた発生磁束が、磁気的に結合している主アンテナ１００のコイル１２０に生じる誘導起電力をより増大させることにより、主アンテナ１００単独で電波を受信する場合に比べて、受信感度が向上するようになっている。
そして、副アンテナ２００ａは４０ｋＨｚの標準電波の受信感度を向上させ、副アンテナ２００ｂは６０ｋＨｚの標準電波の受信感度を向上させるようになっている。
【００５４】
このように、腕時計１は、単独でも標準電波の受信、誘導起電力の検出を行うことができる主アンテナ１００を有するとともに、その主アンテナ１００と磁気的に結合することができる副アンテナ２００ａ、２００ｂを備えるアンテナ装置１０００により標準電波の受信感度を向上させることができる。
よって、腕時計などの電子機器には主アンテナ１００のみを備えることにより、標準電波の受信が可能な電子機器の小型化を図るとともに、アンテナ装置１０００の副アンテナ２００ａ、２００ｂを小型電子機器における主アンテナ１００に対して所定の位置に配設することにより、主アンテナ１００の受信機能を補うように、標準電波の受信感度を向上させることができる。
【００５５】
そして、本発明にかかるアンテナ装置１０００の副アンテナ２００ａ、２００ｂは、載置台３００に載置される腕時計１に内蔵されている主アンテナ１００と磁気的に結合することができるように、その主アンテナ１００のコア１１０の軸線方向と、副アンテナ２００ａ、２００ｂのコア２１０ａ、２１０ｂの軸線方向とが平行となるように載置台３００に配設されているので、副アンテナ２００ａ、２００ｂは、主アンテナ１００が標準電波を受信する受信感度を向上させることができる。
つまり、アンテナ装置１０００は、腕時計１が標準電波を受信する受信感度を向上させることができる。
特に、アンテナ装置１０００は、４０ｋＨｚの標準電波を受信することができる副アンテナ２００ａと、６０ｋＨｚの標準電波を受信することができる副アンテナ２００ｂを備えているので、腕時計１（主アンテナ１００）が受信する４０ｋＨｚの標準電波と、６０ｋＨｚの標準電波の、２種類の電波の受信感度を向上させることができる。
【００５６】
〔変形例〕
なお、本発明の適用は上述した実施形態に限定されることなく、本発明の趣旨を逸脱しない範囲で適宜変更可能である。
【００５７】
〔アンテナ装置の変形例１〕
アンテナ装置における副アンテナ２００ａ、２００ｂの配置を、以下に示す配置にしてもよい。
図６は、載置台３０１に係着される腕時計１の拡大正面図である。図７は、アンテナ装置１００１の載置台３０１に腕時計１が載置された際のアンテナの状態を示す説明図であり、主アンテナ１００と副アンテナ２００ａ、２００ｂの配置を示す正面図である。
【００５８】
図６に示すように、腕時計１には主アンテナ１００が内蔵されており、載置台３０１には副アンテナ２００ａ、２００ｂが内蔵されている。
載置台３０１は、腕時計１を使用しない際に載置して保管するための台であり、載置台３０１には、腕時計１の外形に沿った係着部としての載置溝３００ａが形成されている。
そして、腕時計１を、その載置溝３００ａに合わせて載置して設置することにより、腕時計１と載置台３０１とが係着するとともに、主アンテナ１００と副アンテナ２００ａ、２００ｂとが位置合わせされて、主アンテナ１００と副アンテナ２００ａ、２００ｂとが、磁気的に結合するようになっている。
この変形例１におけるアンテナ装置１００１においては、図６、図７に示すように、載置台３０１に載置された腕時計１に内蔵される主アンテナ１００に対し、第１の副アンテナである副アンテナ２００ａは、その主アンテナ１００のコア１１０の軸線方向と、副アンテナ２００ａのコア２１０ａの軸線方向とが平行となるように載置台３０１に配設されており、第２の副アンテナである副アンテナ２００ｂは、その主アンテナ１００のコア１１０の軸線方向と、副アンテナ２００ｂのコア２１０ｂの軸線方向とが一致するように載置台３０１に配設されている。
【００５９】
このアンテナ装置１００１のように、主アンテナ１００の軸線方向と平行なコア２１０ａを有する副アンテナ２００ａと、主アンテナ１００のコア１１０の軸線方向と一致するコア２１０ｂを有する副アンテナ２００ｂが、それぞれ同調する標準電波による信号磁界中に置かれると、信号磁束がそれぞれのコア（２１０ａ、２１０ｂ）に集中して、それぞれのコイル（２２０ａ、２２０ｂ）と鎖交する。そして、そのコイルにはコイルの内部を通過する信号磁束の変化を妨げる向きに発生磁束が発生する。このように、副アンテナ（２００ａ、２００ｂ）のコイル（２２０ａ、２２０ｂ）に生じた発生磁束が、磁気的に結合している主アンテナ１００のコイル１２０に生じる誘導起電力をより増大させることにより、主アンテナ１００単独で電波を受信する場合に比べて、受信感度が向上するようになっている。
そして、副アンテナ２００ａは４０ｋＨｚの標準電波の受信感度を向上させ、副アンテナ２００ｂは６０ｋＨｚの標準電波の受信感度を向上させるようになっている。
【００６０】
このようなアンテナ装置１００１であっても、４０ｋＨｚの標準電波と６０ｋＨｚの標準電波を受信し、腕時計１（主アンテナ１００）が受信する４０ｋＨｚの標準電波と、６０ｋＨｚの標準電波の、２種類の電波の受信感度を向上させることができる。
【００６１】
〔アンテナ装置の変形例２〕
アンテナ装置における副アンテナ２００ａ、２００ｂの配置を、以下に示す配置にしてもよい。
図８は、載置台３０２に係着される腕時計１の拡大正面図である。図９は、アンテナ装置１００２の載置台３０２に腕時計１が載置された際のアンテナの状態を示す説明図であり、主アンテナ１００と副アンテナ２００ａ、２００ｂの配置を示す正面図である。
【００６２】
図８に示すように、腕時計１には主アンテナ１００が内蔵されており、載置台３０２には副アンテナ２００ａ、２００ｂが内蔵されている。
載置台３０２は、腕時計１を使用しない際に載置して保管するための台であり、載置台３０２には、腕時計１の外形に沿った係着部としての載置溝３００ａが形成されている。
そして、腕時計１を、その載置溝３００ａに合わせて載置して設置することにより、腕時計１と載置台３０２とが係着するとともに、主アンテナ１００と副アンテナ２００ａ、２００ｂとが位置合わせされて、主アンテナ１００と副アンテナ２００ａ、２００ｂとが、磁気的に結合するようになっている。
この変形例２におけるアンテナ装置１００２においては、図８、図９に示すように、載置台３０２に載置された腕時計１に内蔵される主アンテナ１００に対し、副アンテナ２００ａと副アンテナ２００ｂは、その主アンテナ１００のコア１１０の軸線方向と、それぞれの副アンテナのコア２１０ａ、コア２１０ｂの軸線方向とが一致するように載置台３０２に配設されている。特に、副アンテナ２００ａと副アンテナ２００ｂとが、主アンテナ１００を挟むように配置されている。
【００６３】
このアンテナ装置１００２のように、主アンテナ１００の軸線方向と一致するコア２２０ａ、２１０ｂを有する副アンテナ２００ａ、２００ｂが、それぞれ同調する標準電波による信号磁界中に置かれると、信号磁束がそれぞれのコア（２１０ａ、２１０ｂ）に集中して、それぞれのコイル（２２０ａ、２２０ｂ）と鎖交する。そして、そのコイルにはコイルの内部を通過する信号磁束の変化を妨げる向きに発生磁束が発生する。このように、副アンテナ（２００ａ、２００ｂ）のコイル（２２０ａ、２２０ｂ）に生じた発生磁束が、磁気的に結合している主アンテナ１００のコイル１２０に生じる誘導起電力をより増大させることにより、主アンテナ１００単独で電波を受信する場合に比べて、受信感度が向上するようになっている。
そして、副アンテナ２００ａは４０ｋＨｚの標準電波の受信感度を向上させ、副アンテナ２００ｂは６０ｋＨｚの標準電波の受信感度を向上させるようになっている。
【００６４】
このようなアンテナ装置１００２であっても、４０ｋＨｚの標準電波と６０ｋＨｚの標準電波を受信し、腕時計１（主アンテナ１００）が受信する４０ｋＨｚの標準電波と、６０ｋＨｚの標準電波の、２種類の電波の受信感度を向上させることができる。
【００６５】
（実施形態２）
次に、本発明に係るアンテナ装置の実施形態２について図１０〜図１３を用いて説明する。なお、実施形態１と同一の構成要素には同一符号を付して説明を省略する。
【００６６】
アンテナ装置における副アンテナを、以下に示す構成にしてもよい。
図１０は、載置台３０３に係着される腕時計１の拡大正面図である。図１１は、アンテナ装置１００３の載置台３０３に腕時計１が載置された際のアンテナの状態を示す説明図であり、主アンテナ１００と副アンテナ４００の配置を示す正面図である。
【００６７】
図１０に示すように、腕時計１には主アンテナ１００が内蔵されており、載置台３０３には副アンテナ４００が内蔵されている。
載置台３０３は、腕時計１を使用しない際に載置して保管するための台であり、載置台３０３には、腕時計１の外形に沿った係着部としての載置溝３００ａが形成されている。
そして、腕時計１を、その載置溝３００ａに合わせて載置して設置することにより、腕時計１と載置台３０３とが係着するとともに、主アンテナ１００と副アンテナ４００とが位置合わせされて、主アンテナ１００と副アンテナ４００とが、磁気的に結合するようになっている。
【００６８】
副アンテナ４００は、コア４１０と、そのコア４１０の長手方向の中央部分を挟んだ２箇所に銅線等を巻きつけて形成したコイル４２０ａ、４２０ｂと、コイル４２０ａ、４２０ｂにそれぞれ接続された同調コンデンサＣａ、Ｃｂと、により構成されており、載置台３０３の内部に設けられている。
同調コンデンサＣａ、Ｃｂは、コイル４２０ａ、４２０ｂをそれぞれ異なる周波数の電波に同調させるためのコンデンサであり、例えば、コイル４２０ａは４０ｋＨｚの標準電波、コイル４２０ｂは６０ｋＨｚの標準電波に同調するようになっている。
そして、副アンテナ４００は、コア４１０とコイル４２０ａの作用により４０ｋＨｚの標準電波を受信することができ、また、副アンテナ４００は、コア４１０とコイル４２０ｂの作用により６０ｋＨｚの標準電波を受信することができるようになっている。
【００６９】
この実施形態２におけるアンテナ装置１００３においては、図１０、図１１に示すように、載置台３０３に載置された腕時計１に内蔵される主アンテナ１００に対し、副アンテナ４００は、主アンテナ１００のコア１１０の軸線方向と、副アンテナ４００のコア４１０の軸線方向とが平行となるように載置台３０３に配設されている。
【００７０】
このアンテナ装置１００３のように、主アンテナ１００の軸線方向と平行なコア４１０にコイル４２０ａ、４２０ｂが形成されている副アンテナ４００が、それぞれ同調する標準電波による信号磁界中に置かれると、信号磁束がコア４１０に集中して、それぞれのコイル（４２０ａ、４２０ｂ）と鎖交する。そして、そのコイルにはコイルの内部を通過する信号磁束の変化を妨げる向きに発生磁束が発生する。このように、副アンテナ４００のコイル（４２０ａ、４２０ｂ）に生じた発生磁束が、磁気的に結合している主アンテナ１００のコイル１２０に生じる誘導起電力をより増大させることにより、主アンテナ１００単独で電波を受信する場合に比べて、受信感度が向上するようになっている。
そして、副アンテナ４００は４０ｋＨｚの標準電波と、６０ｋＨｚの標準電波の受信感度を向上させるようになっている。
【００７１】
このようなアンテナ装置１００３であっても、４０ｋＨｚの標準電波と６０ｋＨｚの標準電波を受信し、腕時計１（主アンテナ１００）が受信する４０ｋＨｚの標準電波と、６０ｋＨｚの標準電波の、２種類の電波の受信感度を向上させることができる。
【００７２】
〔アンテナ装置の変形例１〕
アンテナ装置における副アンテナを、以下に示す構成にしてもよい。
図１２は、載置台３０４に係着される腕時計１の拡大正面図である。図１３は、アンテナ装置１００４の載置台３０４に腕時計１が載置された際のアンテナの状態を示す説明図であり、主アンテナ１００と副アンテナ４００の配置を示す正面図である。
【００７３】
図１２に示すように、腕時計１には主アンテナ１００が内蔵されており、載置台３０４には副アンテナ４００が内蔵されている。
載置台３０４は、腕時計１を使用しない際に載置して保管するための台であり、載置台３０４には、腕時計１の外形に沿った係着部としての載置溝３００ａが形成されている。
そして、腕時計１を、その載置溝３００ａに合わせて載置して設置することにより、腕時計１と載置台３０４とが係着するとともに、主アンテナ１００と副アンテナ４００とが位置合わせされて、主アンテナ１００と副アンテナ４００とが、磁気的に結合するようになっている。
【００７４】
副アンテナ４００は、コア４１０と、そのコア４１０の長手方向の中央部分を挟んだ２箇所に銅線等を巻きつけて形成したコイル４２０ａ、４２０ｂと、コイル４２０ａ、４２０ｂにそれぞれ接続された同調コンデンサＣａ、Ｃｂと、により構成されており、載置台３０４の内部に設けられている。
同調コンデンサＣａ、Ｃｂは、コイル４２０ａ、４２０ｂをそれぞれ異なる周波数の電波に同調させるためのコンデンサであり、例えば、コイル４２０ａは４０ｋＨｚの標準電波、コイル４２０ｂは６０ｋＨｚの標準電波に同調するようになっている。
そして、副アンテナ４００は、コア４１０とコイル４２０ａの作用により４０ｋＨｚの標準電波を受信することができ、また、副アンテナ４００は、コア４１０とコイル４２０ｂの作用により６０ｋＨｚの標準電波を受信することができるようになっている。
【００７５】
この実施形態２の変形例１におけるアンテナ装置１００４においては、図１２、図１３に示すように、載置台３０４に載置された腕時計１に内蔵される主アンテナ１００に対し、副アンテナ４００は、主アンテナ１００のコア１１０の軸線方向と、副アンテナ４００のコア４１０の軸線方向とが一致するように載置台３０４に配設されている。
【００７６】
このアンテナ装置１００４のように、主アンテナ１００の軸線方向と一致するコア４１０にコイル４２０ａ、４２０ｂが形成されている副アンテナ４００が、それぞれ同調する標準電波による信号磁界中に置かれると、信号磁束がコア４１０に集中して、それぞれのコイル（４２０ａ、４２０ｂ）と鎖交する。そして、そのコイルにはコイルの内部を通過する信号磁束の変化を妨げる向きに発生磁束が発生する。このように、副アンテナ４００のコイル（４２０ａ、４２０ｂ）に生じた発生磁束が、磁気的に結合している主アンテナ１００のコイル１２０に生じる誘導起電力をより増大させることにより、主アンテナ１００単独で電波を受信する場合に比べて、受信感度が向上するようになっている。
そして、副アンテナ４００は４０ｋＨｚの標準電波と、６０ｋＨｚの標準電波の受信感度を向上させるようになっている。
【００７７】
このようなアンテナ装置１００４であっても、４０ｋＨｚの標準電波と６０ｋＨｚの標準電波を受信し、腕時計１（主アンテナ１００）が受信する４０ｋＨｚの標準電波と、６０ｋＨｚの標準電波の、２種類の電波の受信感度を向上させることができる。
【００７８】
（実施形態３）
次に、本発明に係るアンテナ装置の実施形態３について図１４〜図１６を用いて説明する。なお、実施形態１と同一の構成要素には同一符号を付して説明を省略する。
【００７９】
アンテナ装置における副アンテナを、以下に示す構成にしてもよい。
図１４は、腕時計１に制御されるアンテナ装置１００５の切替回路９５に関する説明図である。図１５は、腕時計１の内部構成を示すブロック図である。
【００８０】
図１４に示すように、アンテナ装置１００５は、主アンテナ１００のコア１１０の軸線方向と一致するか、平行となるように配設されるコア５１０にコイル５２０が形成された副アンテナ５００を備えている。図１４においては、コア１１０とコア５１０の軸線方向が一致している副アンテナ５００を図示している。
コイル５２０には、副アンテナ５００に４０ｋＨｚの標準電波を同調させるためのコンデンサＣａと、６０ｋＨｚの標準電波を同調させるためのコンデンサＣｂとが、並列に接続されており、同調コンデンサＣａ、Ｃｂに対応する切替スイッチ９６ａ、９６ｂがそれぞれ接続されている。
切替スイッチ９６ａ、９６ｂは、切替回路９５の動作制御に基づき、オン／オフが切り替えられて、コイル５２０に同調コンデンサＣａが接続されることと、コイル５２０に同調コンデンサＣｂが接続されることとを切り替えることができるようになっている。そして、副アンテナ５００は４０ｋＨｚの標準電波を受信することと、６０ｋＨｚの標準電波を受信することが切り替え可能になっている。
切替回路９５は、腕時計１が載置台３０５に所定の状態で設置された場合にＣＰＵ１０と電気的に接続される。
【００８１】
腕時計１のＣＰＵ１０は、標準電波の受信処理を実行した際、標準電波を受信できたか否かを判断する制御を行う。
また、図１５に示すように、腕時計１のＲＯＭ４０には、主アンテナ１００が標準電波を好適に受信できない場合に、検出部９０から入力される検出信号等に基づいて、アンテナ装置１００５の切替回路９５に、切替スイッチ９６ａ、９６ｂを切り替えるための切替信号を出力し、アンテナ装置１００５が標準電波を受信する最適な同調容量に切り替えるための同調容量切替プログラム４０ｃが記憶されている。
【００８２】
そして、ＣＰＵ１０は、検出部９０から入力された検出信号や、標準電波の受信を所定通りにできたか否かの判断に基づいて、アンテナ装置１００５の切替回路９５に、切替スイッチ９６ａ、９６ｂのオン／オフを切り替えるための切替信号を出力する制御を行う。
つまり、アンテナ装置１００５の切替スイッチ９６ａ、９６ｂを切り替えて、腕時計１（主アンテナ１００）が、４０ｋＨｚの標準電波を受信する場合と、６０ｋＨｚの標準電波を受信する場合とにおける、副アンテナ５００の同調容量を切り替えるようになっている。
【００８３】
次に、図１６に示すフローチャートに基づいて、腕時計１とアンテナ装置１００５の動作について説明する。
【００８４】
まず、腕時計１のＣＰＵ１０が、検出部９０から検出信号の入力があるか否かを判断する（ステップＳ１０１）。ＣＰＵ１０が、検出部９０から検出信号の入力があると判断した場合、即ち、腕時計１が載置台に載置されて、腕時計１と載置台とが係着して腕時計１（主アンテナ１００）に副アンテナ５００が付加されていると判断されると（ステップＳ１０１；Ｙｅｓ）、ステップＳ１０２に進む。
一方、ＣＰＵ１０が、検出部９０から検出信号の入力はないと判断した場合、即ち、腕時計１は載置台に載置されておらず、腕時計１（主アンテナ１００）に副アンテナ５００が付加されていないと判断されると（ステップＳ１０１；Ｎｏ）、ステップＳ１０１戻る。
ステップＳ１０２において、腕時計１のＣＰＵ１０は、標準電波の受信処理を実行し、時刻情報を受信する（ステップＳ１０２）。
【００８５】
次いで、ＣＰＵ１０は、標準電波を受信できたか否かを判断する（ステップＳ１０３）。
ＣＰＵ１０が、標準電波の受信をできていないと判断すると（ステップＳ１０３；Ｎｏ）、ＣＰＵ１０は、切替回路９５に切替信号を出力するとともに、その切替信号に基づき切替回路９５は、切替スイッチ９６ａ、９６ｂを切り替えることにより、同調コンデンサＣａ、Ｃｂの接続を切り替えて副アンテナ５００の同調容量を切り替える（ステップＳ１０４）。そして、ステップＳ１０２へ戻る。
一方、ＣＰＵ１０が、標準電波を受信できたと判断すると（ステップＳ１０３；Ｙｅｓ）、標準電波の標準タイムコードに応じた時刻データに基づき、ＣＰＵ１０は、現在時刻の修正処理を実行し（ステップＳ１０５）、標準電波の受信処理を終了する。
【００８６】
このようなアンテナ装置１００５であっても、腕時計１（主アンテナ１００）における標準電波の受信状態に応じて、選択的に同調コンデンサＣａ、Ｃｂとの接続を切り替えて、アンテナ装置１００５の副アンテナ５００の同調容量を切り替えることに基づき、４０ｋＨｚの標準電波と６０ｋＨｚの標準電波を受信し、腕時計１（主アンテナ１００）が受信する４０ｋＨｚの標準電波と、６０ｋＨｚの標準電波の、２種類の電波の受信感度を向上させることができる。
【００８７】
〔副アンテナの変形例〕
アンテナ装置における副アンテナを、以下に示す構成にしてもよい。
図１７は、副アンテナ６００を示す図である。同図（ａ）は副アンテナ６００の正面図を示し、同図（ｂ）は（ａ）のｂ−ｂ線における断面図を示している。なお、同図において、コイルとコンデンサとを接続する導線の図示は省略している。
【００８８】
図１７（ａ）に示すように、副アンテナ６００は、副アンテナ６００におけるコア６１１０の長手方向の両端部６１０ａ以外の周囲（つまり、副アンテナ６００（コア部６１０）の長手方向の周面）を絶縁部材である絶縁シート７００ｂを介して金属箔７００ａで覆われた形状を有している。つまり、副アンテナ６００は、絶縁シート７００ｂと金属箔７００ａとからなるシールド部材７００に覆われている。なお、その金属箔７００ａを副アンテナ６００以外の部位に対してＧＮＤラインなどにより接地することが好ましい。
【００８９】
このような副アンテナ６００であれば、副アンテナ６００に静電気などのノイズが入り込んでも、その静電気などのノイズはシールド部材７００の金属箔７００ａやＧＮＤラインなどを介して抜けていくので、ノイズはコア６１０やコイル６２０に作用しにくくなっている。そして、ノイズの影響を低減することにより、アンテナ装置の副アンテナ６００は、好適に標準電波を受信することができ、腕時計１は、標準電波に基づく時刻修正を正確に行うことができるとともに、主アンテナや主アンテナと接続されている回路基板６のＩＣなどがそのノイズにより破壊されることを防ぐことができる。
【００９０】
なお、以上の実施の形態においては、２つの副アンテナ（２００ａ、２００ｂ）を主アンテナ１００に平行に配置する場合、副アンテナ（２００ａ、２００ｂ）が主アンテナ１００を挟むように配置される例に基づき説明したが、本発明はこれに限定されるものではなく、主アンテナ１００の一方側に２つの副アンテナ（２００ａ、２００ｂ）を平行に配置するようにしてもよい。
また、２つの副アンテナ（２００ａ、２００ｂ）を主アンテナ１００の軸線方向と一致するように配置する場合、副アンテナ（２００ａ、２００ｂ）が主アンテナ１００を挟むように配置される例に基づき説明したが、本発明はこれに限定されるものではなく、主アンテナ１００の一方側に２つの副アンテナ（２００ａ、２００ｂ）をその軸線方向を一致させるように配置するようにしてもよい。
つまり、複数の副アンテナのコアの軸線方向と、主アンテナのコアの軸線方向とが、平行若しくは一致するように配置されていれば、任意の配置であってよい。
【００９１】
また、主アンテナに対する副アンテナは１つや２つであることに限らず、３つ以上の副アンテナが配置されてもよい。
同様に、副アンテナのコアにおけるコイルは１つや２つであることに限らず、３つ以上のコイルを形成するようにしてもよい。
【００９２】
また、電子機器は、腕時計に限らず、携帯電話機などその他の電子機器であってもよい。
また、その他、具体的な細部構造等についても適宜に変更可能であることは勿論である。
【図面の簡単な説明】
【００９３】
【図１】本発明に係るアンテナ装置の載置台に腕時計が係着した状態を示す斜視図である。
【図２】載置台に腕時計が係着されてなるアンテナ装置の拡大正面図である。
【図３】図２のIII−III線における拡大断面図である。
【図４】腕時計の要部構成を示すブロック図である。
【図５】主アンテナと副アンテナの配置を示す説明図である。
【図６】本発明の実施形態１におけるアンテナ装置の変形例（１）を示す正面図である。
【図７】実施形態１のアンテナ装置の変形例（１）における主アンテナと副アンテナの配置を示す説明図である。
【図８】本発明の実施形態１におけるアンテナ装置の変形例（２）を示す正面図である。
【図９】実施形態１のアンテナ装置の変形例（２）における主アンテナと副アンテナの配置を示す説明図である。
【図１０】本発明の実施形態２におけるアンテナ装置を示す正面図である。
【図１１】実施形態２のアンテナ装置における主アンテナと副アンテナの配置を示す説明図である。
【図１２】本発明の実施形態２におけるアンテナ装置の変形例（１）を示す正面図である。
【図１３】実施形態２のアンテナ装置の変形例（１）における主アンテナと副アンテナの配置を示す説明図である。
【図１４】本発明の実施形態３におけるアンテナ装置の切替回路に関する説明図である。
【図１５】本発明の実施形態３における腕時計の要部構成を示すブロック図である。
【図１６】アンテナ装置の同調容量の切り替えを説明するためのフローチャートである。
【図１７】本発明における副アンテナの変形例を示す図であり、（ａ）は正面図、（ｂ）は図１７（ａ）のｂ−ｂ線における断面図である。
【符号の説明】
【００９４】
１０００、１００１、１００２、１００３、１００４、１００５  アンテナ装置
１００    主アンテナ
１１０    コア
１２０    コイル
２００ａ、２００ｂ  副アンテナ
２１０ａ、２１０ｂ  コア
２２０ａ、２２０ｂ  コイル
３００、３０１、３０２、３０３、３０４、３０５  載置台（設置部）
３００ａ  載置溝
４００  副アンテナ
４１０  コア
４２０ａ、４２０ｂ  コイル
５００  副アンテナ
５１０  コア
５２０  コイル
６００  副アンテナ
６１０  コア
６２０  コイル
１      腕時計（電子機器、時計）
２      時計ケース
１０    ＣＰＵ
２０    入力部
３０    表示部
４０    ＲＯＭ
５０    ＲＡＭ
６０    受信制御部
６２    電波受信装置
７０    タイムコード変換部
８０    計時回路部
８２    発振回路部
９０    検出部
９５    切替回路
９６ａ、９６ｂ  切替スイッチ
７００    シールド部材
７００ａ  金属箔
７００ｂ  絶縁シート
Ｃａ、Ｃｂ  同調コンデンサ
【図１】
2006101454.tif 000003
【図２】
2006101454.tif 000004
【図３】
2006101454.tif 000005
【図４】
2006101454.tif 000006
【図５】
2006101454.tif 000007
【図６】
2006101454.tif 000008
【図７】
2006101454.tif 000009
【図８】
2006101454.tif 000010
【図９】
2006101454.tif 000011
【図１０】
2006101454.tif 000012
【図１１】
2006101454.tif 000013
【図１２】
2006101454.tif 000014
【図１３】
2006101454.tif 000015
【図１４】
2006101454.tif 000016
【図１５】
2006101454.tif 000017
【図１６】
2006101454.tif 000018
【図１７】
2006101454.tif 000019